(57)【要約】【課題】意思疎通を阻害することなく、火災時に発生する有毒ガスや煙から使用者を保護することができ、且つ、比較的狭い保管場所でも多量の防煙マスクを備蓄可能な防煙マスクを提供する。【解決手段】使用者３０の両眼３１及び鼻３２を含む領域を囲曉する環状の枠体１１と、枠体１１の一方の端部１２に設けられて枠体１１の内外を区画する透明板１３と、枠体１１の上面１４又は下面１８に配設されたフィルタ部材１５と、枠体１１を使用者３０の顔面３３に装着するベルト１６と、を備える。【選択図】図１
2018183554.tif 000002
【特許請求の範囲】
【請求項１】
使用者の両眼及び鼻を含む領域を囲曉する環状の枠体と、
前記枠体の一方の端面に設けられて前記枠体の内外を区画する透明板と、
前記枠体の隔壁に配設された少なくとも１つのフィルタ部材と、
前記枠体を前記使用者の顔面に密閉して装着するベルトと、
を備えることを特徴とする防煙マスク。
【請求項２】
前記フィルタ部材は、火災時に発生する有毒ガス及び粒子状物質を含有する空気を浄化可能であることを特徴とする請求項１に記載の防煙マスク。
【請求項３】
前記枠体は、前記枠体の内側の空気を外部に排気すると共に、前記枠体の外部からの前記空気の侵入を防止する排気弁をさらに備えることを特徴とする請求項１又は２に記載の防煙マスク。
【発明の詳細な説明】
【技術分野】
【０００１】  本発明は、防煙マスクに関し、より詳細には、ビルやホテルなどの建築物に常備し、火災発生時の非難の際に使用する緊急用の防煙マスクに関する。
【背景技術】
【０００２】  従来、火災発生時に使用される防煙マスクとしては、マスク状部材で人の鼻や口部分だけを覆う簡易マスク型と（例えば、特許文献１参照。）、フードで頭部全体を覆い、鼻、口と共に眼も保護可能であり、比較的長時間使用可能な防煙マスクが知られている（例えば、特許文献２参照。）。特許文献１に記載の防煙マスクは、マスク本体と、マスク本体に備えた吸気専用弁に連なる伸縮自在な吸気パイプと、を備える。吸気パイプは、不使用時には縮小状態にあり、使用時には略身長長さに伸長して伸長姿勢を自己保持する。また、特許文献２に記載の防煙マスクは、使用者の頭部全体を覆うフード、使用者の顔面に当接するパッド部を備えた筒状体と、パッド部の反対側の開口部に装着される防煙キャニスタと、を備えており、火災時の有毒ガス・煙及び酸素欠乏対策に効果を発揮し、比較的長い時間対応可能としている。
【先行技術文献】
【特許文献】
【０００３】
【特許文献１】特開平８−６６４８５号公報
【特許文献２】特開２００３−６２０９６号公報
【発明の概要】
【発明が解決しようとする課題】
【０００４】  しかしながら、特許文献１の防煙マスクによると、装着時に口が塞がれているため、声が外へ聞こえにくくなり、意思疎通が阻害される虞がある。また、眼が保護されておらず、煙による刺激で、避難するための視力が十分に確保できなくなる可能性があり、改善の余地があった。また、特許文献２の防煙マスクによると、フードにより使用者の鼻、口、及び眼を保護して比較的に長時間の使用に耐えるが、フードのために声が外へ聞こえにくく意思疎通が阻害される虞がある。また、比較的大型であるため、製造コストが嵩むと共に、保管時に嵩張り、多量の防煙マスクを保管するためには広い保管場所が必要となる問題があった。【０００５】  本発明は、前述した課題に鑑みてなされたものであり、その目的は、意思疎通を阻害することなく、火災時に発生する有毒ガスや煙から使用者を保護することができ、且つ、比較的狭い保管場所でも多量の防煙マスクを備蓄可能な防煙マスクを提供することにある。
【課題を解決するための手段】
【０００６】  本発明の上記目的は、下記の構成により達成される。
（１）  使用者の両眼及び鼻を含む領域を囲曉する環状の枠体と、
前記枠体の一方の端面に設けられて前記枠体の内外を区画する透明板と、
前記枠体の隔壁に配設された少なくとも１つのフィルタ部材と、
前記枠体を前記使用者の顔面に密閉して装着するベルトと、
を備えることを特徴とする防煙マスク。
（２）  前記フィルタ部材は、火災時に発生する有毒ガス及び粒子状物質を含有する空気を浄化可能であることを特徴とする（１）に記載の防煙マスク。
（３）  前記枠体は、前記枠体の内側の空気を外部に排気すると共に、前記枠体の外部からの前記空気の侵入を阻止する排気弁をさらに備えることを特徴とする（１）又は（２）に記載の防煙マスク。
【発明の効果】
【０００７】  本発明の防煙マスクによれば、使用者の意思疎通を阻害することなく、火災時に発生する有毒ガスや煙から使用者を保護することができ、且つ、比較的狭い保管場所でも多量の防煙マスクを備蓄することができる、小型且つ安価な防煙マスクを提供することにある。
【図面の簡単な説明】
【０００８】
【図１】本発明に係る防煙マスクを装着した状態を示す斜視図である。
【図２】図１に示す防煙マスクの縦断面図である。
【図３】排気弁の構造を示す要部縦断面図である。
【発明を実施するための形態】
【０００９】  以下、本発明に係る防煙マスクの一実施形態を図面に基づいて詳細に説明する。
図１は本発明に係る防煙マスクを装着した状態を示す斜視図、図２は、防煙マスクの縦断面図である。
【００１０】  図１及び図２に示すように、防煙マスク１０は、環状の枠体１１と、枠体１１の一方の端部１２に設けられた透明板１３と、枠体１１の上面１４及び下面１８に配設されたフィルタ部材１５と、ベルト１６と、を備える。
【００１１】  枠体１１は、例えば、ゴムなどの弾性材料で形成された略矩形環状の枠であり、使用者３０の両眼３１及び鼻３２を含む領域を囲曉する大きさ及び形状に成形されている。使用者３０の顔面３３に当接する側の枠体１１の端部は、板厚方向の寸法が薄くされると共に、顔面３３に密閉状に当接するように顔面３３の曲線に倣った形状に形成されてパッド部１７として機能する。パッド部１７は、枠体１１とは別部材として形成されて、枠体１１の顔面３３側の端面に固定されることで形成されてもよい。
【００１２】  パッド部１７に対して反対側となる枠体１１の端部１２には、透明板１３が気密状態で固定されている。透明板１３は、枠体１１の内側と外側とを区画すると共に、透明板１３を介して枠体１１の内側から外側を視認可能である。
【００１３】  枠体１１の隔壁である上面１４及び下面１８には、フィルタ部材１５が配設されている。フィルタ部材１５は、火災時に発生する有毒ガスや煙を濾過可能な濾過性能を備える。フィルタ部材１５の表面積は、短時間で多くの空気を濾過して枠体１１の内側に取り入れるため、できるだけ広いほうが望ましく、その配設位置も枠体１１の上面１４及び下面１８に限定されない。
【００１４】  フィルタ部材１５は、昭和６３年労働省告示第１９号に定める防塵マスクの規格による、ＤＳ１，ＲＳ１、或いはＤＬ１，ＲＬ１と同等の濾過性能を有することが望ましい。ＤＳ１，ＲＳ１は、粒径０．０６〜０．１μｍの塩化ナトリウムの捕集効率が８０％以上であり、ＤＬ１，ＲＬ１は、粒径分布０．１５〜０．２５μｍのフタル酸ジオクチルの捕集効率が８０％以上の性能を有する。
【００１５】  枠体１１の両側面１９には、弾性を有するゴムなどのバンド１６の両端がそれぞれ固定されている。防煙マスク１０は、バンド１６を後頭部３４に掛け渡すことで使用者３０の顔面３３に装着することができる。
【００１６】  枠体１１の下面１８には、排気弁２０が配設されている。図３に示すように、排気弁２０は、枠体１１の下面１８に設けられた排気孔２１と、弁体２２と、を備える。弁体２２は、ゴムなどの弾性部材から形成されており、排気孔２１を外側から覆うフランジ部２３と、フランジ部２３の略中心に突出形成された取付けボス２４と、を備える。
【００１７】  弁体２２は、取付けボス２４の頭部が枠体１１の外側（図３において下側）から下面１８に設けられた取付孔２５に挿通されて枠体１１に取り付けられている。これにより、弁体２２のフランジ部２３は、弾性力により下面１８の外側の面（下面）に気密状態で当接し、外部から枠体１１の内側への空気の侵入を阻止する。
【００１８】  そして、使用者３０の呼吸により枠体１１の内側の圧力が上昇すると、弾性力に抗してフランジ部２３が開き、枠体１１の内側の空気が、排気孔２１及び下面１８とフランジ部２３との隙間を介して外部に排気される。
【００１９】  次に、本実施形態の防煙マスク１０の使用方法及び作用について説明する。本実施形態の防煙マスク１０は、ビルやホテルなどの建築物に常備し、火災発生時の非難の際に使用する緊急用防煙マスクを提供するものであり、比較的小型に形成されている。このため、狭い保管空間に多数の防煙マスク１０を備蓄することができる。
【００２０】  使用者３０は、火災発生時に保管場所から防煙マスク１０を取り出し、枠体１１で両眼３１及び鼻３２を含む領域をカバーするようにしてパッド部１７を顔面３３に押し当てて、バンド１６を後頭部３４に掛け渡して防煙マスク１０を顔面３３に装着する。このように、防煙マスク１０の装着は、極めて簡単なので火災時などの緊急時にも慌てることなく、短時間で装着することができる。
【００２１】  防煙マスク１０を装着した後、使用者３０が鼻呼吸することで、防煙マスク１０の外側の有毒ガスや煙を含む空気がフィルタ部材１５で濾過され、無害化された空気が枠体１１の内側に取り込まれて使用者３０の吸気が確保される。また、使用者３０が呼気すると、枠体１１内の圧力が高まることで弁体２２のフランジ部２３が開き、排気孔２１から呼気が枠体１１の外部に排気される。これにより、使用者３０の安全な呼吸が確保される。
【００２２】  また、使用者３０の両眼３１は、防煙マスク１０により外部から隔離されて煙などから保護されているので、透明板１３を介して周囲の状況を容易に確認することができる。これにより、使用者３０は、周囲の状況が確認できなくなることで陥り易いパニック状態を回避して、冷静な判断で避難行動を取ることができる。
【００２３】  さらに、使用者３０の口３５は、防煙マスク１０で塞がれていないため、言葉による明確な意思疎通が可能となる。これにより、周囲の人に自分の意志や正確な情報を伝達することができ、的確な避難に繋げることができ、安全性が向上する。
【００２４】  本実施形態の防煙マスク１０によれば、使用者３０の両眼３１及び鼻３２を含む領域を囲曉する環状の枠体１１と、枠体１１の一方の端部１２に設けられて枠体１１の内外を区画する透明板１３と、枠体１１の上面１４又は下面１８に配設されたフィルタ部材１５と、枠体１１を使用者３０の顔面３３に装着するベルト１６と、を備えるので、火災で発生する有毒ガスや煙から使用者３０の呼吸、及び視野を確保すると共に、言葉による明確な意思疎通を可能として、冷静な避難行動に繋げることができ、使用者３０の安全が向上する。また、比較的狭い保管空間に多数の防煙マスク１０を備蓄することができるので、ビルやホテルなどの建築物に常備する防煙マスク１０として好適である。
【００２５】  また、フィルタ部材１５は、火災時に発生する有毒ガス及び粒子状物質を含有する空気を浄化可能であるので、使用者３０の呼吸を確保することができ、安全に避難することができる。
【００２６】  また、枠体１１は、枠体１１の内側の空気を外部に排気すると共に、枠体１１の外部からの空気の侵入を防止する排気弁２０を備えるので、使用者３０の呼吸を確保することができる。
【００２７】  尚、本発明は、前述した実施形態に限定されるものではなく、適宜、変形、改良、等が可能である。
【符号の説明】
【００２８】１０    防煙マスク
１１    枠体
１２    端部（端面）
１３    透明板
１４    上面（隔壁）
１５    フィルタ部材
１６    ベルト
１８    下面（隔壁）
２０    排気弁
３０    使用者
３１    両眼
３２    鼻
３３    顔面
【図１】
2018183554.tif 000003
【図２】
2018183554.tif 000004
【図３】
2018183554.tif 000005